(57)【要約】      （修正有）【課題】睡眠誘導及び休息のための脳波誘導信号を出力する首枕を提供する。【解決手段】首枕は、外部の情報端末機１００から脳波誘導用データを受信する通信部と、脳波誘導用データから音響データ及び光パターンデータを抽出するデータ抽出部と、音響データを音の形態に出力する音響出力部と、連結された光メガネ３００を通じて光パターンデータ出力用の制御信号を、光メガネに伝達する制御部と、を含む。首枕をして休息を取りながら、睡眠誘導及び休息に適した脳波の発生を促進させることができる。脳波誘導信号出力に必要な専用端末機、ヘッドホン及び光メガネを別途に所持しなくても良いので、携帯が簡便であり、ヘッドホンと光メガネとを専用端末機に連結させる必要がないので、操作が簡便である。【選択図】図１
0003202281.tif 000002
【実用新案登録請求の範囲】
【請求項１】
脳波誘導信号を出力する首枕において、
外部の情報端末機から脳波誘導用データを受信する通信部と、
前記脳波誘導用データから音響データ及び光パターンデータを抽出するデータ抽出部と、
前記音響データを音の形態に出力する音響出力部と、
前記光パターンデータ出力用の制御信号を、前記首枕に連結された光メガネに伝達する制御部と、を含む首枕。
【請求項２】
前記音響データ及び光パターンデータは、ユーザの脳波を前記音響データの波長及び前記光パターンデータの波長に同調化させるように設定される請求項１に記載の首枕。
【請求項３】
ユーザの頭の位置を感知するセンサー部をさらに含み、
前記センサー部は、
圧力センサー、加速度センサー、ジャイロセンサー、重量測定センサーのうち少なくとも１つを含む請求項１に記載の首枕。
【請求項４】
前記音響出力部は、
前記ユーザの頭の位置に対応して左右にそれぞれスピーカーを備え、
前記ユーザの頭の位置が傾いたと感知されれば、前記ユーザの頭が傾いた方向または前記ユーザの頭が傾いた方向の反対側に位置した前記スピーカーの出力音量を調節する請求項３に記載の首枕。
【請求項５】
前記音響出力部は、
前記ユーザの頭が傾いた方向に設けられたスピーカーの出力音声を減らすか、前記ユーザの頭が傾いた方向の反対側に位置した前記スピーカーの出力音量を高める請求項４に記載の首枕。
【請求項６】
前記情報端末機または前記光メガネを収納するための収納部をさらに含む請求項１に記載の首枕。
【考案の詳細な説明】
【技術分野】
【０００１】
本考案は、睡眠誘導及び休息のための首枕に係り、より詳細には、外部の情報端末機から受信した脳波誘導用データを用いて、睡眠誘導及び休息のための脳波誘導信号を出力する首枕に関する。
【背景技術】
【０００２】
日常生活から発生する疲労感及び眠気、ストレスによる集中力の減少、緊張感の誘発、及びその他の精神的な障害要素が発生する場合、光と音との同調化現象を用いて脳波をアルファ波、シータ波に安定化させることができる。
ここで、同調化現象とは、外部から持続的に音や光などで一定周波数の信号を入力されて、脳波が入力された周波数に同調される現象を意味する。このような同調化現象を利用した脳波誘導装置である。
脳波誘導装置は、短時間に疲労感と眠気とを克服し、ストレスの解消及び集中力を向上させ、また緊張を緩和し、最適化された頭脳状態の保持に役に立つ。また、過度な緊張状態または散漫な頭脳状態である場合、効果的なアルファ波またはシータ波を誘導して頭脳の休息を助ける。この際、アルファ波及びシータ波は、外部志向的覚醒状態が過度になることを防止して、頭脳の選択的注意集中が円滑に起こるように助ける。そして、アルファ波及びシータ波を誘導して、短期間に疲労感及び眠気を解消させ、集中力を上昇させて、記憶力を向上させ、以前情報が結合される思考過程を円滑にしうる。
ストレス管理と心理的安定感とに対する関心が高くなりながら、携帯用装置、椅子、枕など多様な形態の脳波誘導装置が登場した。従来の脳波誘導装置のほとんどは、脳波誘導信号をヘッドホン、イヤホン、及びスピーカーなどを用いて音の形態に出力するか、光メガネを用いて光のパターン形態に目に印加されるように出力する。
しかし、このような脳波誘導装置を利用するためには、脳波誘導信号を発生させる端末機とヘッドホン及び光メガネとを所持しなければならない煩わしさがある。そして、脳波誘導装置を使うために、ヘッドホンと光メガネとを端末機に連結しなければならないので、操作が煩わしく、脳波誘導装置使用時に、端末機に連結された連結線が邪魔になる問題がある。
本考案の背景となる技術は、特許文献１に開示されている。
【先行技術文献】
【特許文献】
【０００３】
【特許文献１】大韓民国登録特許第１０−１４４１３５６号（２０１４．１１．０３．公告）
【考案の概要】
【考案が解決しようとする課題】
【０００４】
本考案は、睡眠誘導及び休息のための首枕に係り、より詳細には、外部の情報端末機から受信した脳波誘導用データを用いて、睡眠誘導及び休息のための脳波誘導信号を出力する首枕を提供するところにその目的がある。
【課題を解決するための手段】
【０００５】
このような技術的課題を果たすための本考案の実施形態による睡眠誘導及び休息のための首枕は、外部の情報端末機から脳波誘導用データを受信する通信部と、前記脳波誘導用データから音響データ及び光パターンデータを抽出するデータ抽出部と、前記音響データを音の形態に出力する音響出力部と、連結された光メガネを通じて前記光パターンデータ出力用の制御信号を、前記光メガネに伝達する制御部と、を含む。
また、前記音響データ及び光パターンデータは、ユーザの脳波を前記音響データの波長及び前記光パターンデータの波長に同調化させるように設定しうる。
また、ユーザの頭の位置を感知するセンサー部をさらに含み、前記センサー部は、圧力センサー、加速度センサー、ジャイロセンサー、重量測定センサーのうち少なくとも１つを含みうる。
また、前記音響出力部は、前記ユーザの頭の位置に対応して左右にそれぞれスピーカーを備え、前記ユーザの頭の位置が傾いたと感知されれば、前記ユーザの頭が傾いた方向または前記ユーザの頭が傾いた方向の反対側に位置した前記スピーカーの出力音量を調節することができる。
また、前記音響出力部は、前記ユーザの頭が傾いた方向に設けられたスピーカーの出力音声を減らすか、前記ユーザの頭が傾いた方向の反対側に位置した前記スピーカーの出力音量を高めうる。
また、前記情報端末機または前記光メガネを収納するための収納部をさらに含みうる。
なお、本考案の脳波誘導信号を出力する首枕を利用した脳波誘導信号出力方法は、外部の情報端末機から脳波誘導用データを受信する段階と、前記脳波誘導用データから音響データ及び光パターンデータを抽出する段階と、前記音響データを音の形態に出力する段階と、連結された光メガネを通じて前記光パターンデータ出力用の制御信号を、前記光メガネに伝達する段階と、を含む。
【考案の効果】
【０００６】
本考案によれば、睡眠誘導及び休息のための首枕、及びそれを利用した脳波誘導信号出力方法を利用することによって、首枕をして休息を取りながら、睡眠誘導及び休息に適した脳波の発生を促進させることができる。
また、首枕を着用したユーザに脳波を発生させて、ユーザが疲労感と眠気とを克服可能にするか、ユーザのストレスの解消及び集中力の向上に役に立つ。
また、脳波誘導信号出力に必要な専用端末機、ヘッドホン及び光メガネを別途に所持しなくても良いので、携帯が簡便であり、ヘッドホンと光メガネとを専用端末機に連結させる必要がないので、操作が簡便であり、使用途中で連結線が身体に触れることがないので、便利に装置を利用できる。
【図面の簡単な説明】
【０００７】
【図１】本考案の実施形態による睡眠誘導及び休息のための首枕を説明する構成図である。
【図２】本考案の実施形態による睡眠誘導及び休息のための首枕の構成を示すブロック図である。
【図３】本考案の首枕を利用した脳波誘導信号出力方法を説明するフローチャートである。
【考案を実施するための形態】
【０００８】
それでは、添付した図面を参照して、本考案の実施形態について当業者が容易に実施できるように詳しく説明する。しかし、本考案は、さまざまな異なる形態で具現され、ここで説明する実施形態に限定されるものではない。そして、図面で本考案を明確に説明するために、説明と関係のない部分は省略し、明細書全体を通じて類似した部分については、類似した図面符号を付する。
以下、添付図面を参照しながら、本考案による望ましい実施形態を詳しく説明する。
図１は、本考案の実施形態による睡眠誘導及び休息のための首枕を説明する構成図である。
睡眠誘導及び休息のための脳波誘導信号出力システムは、情報端末機１００、首枕２００及び光メガネ３００を含み、首枕２００は、情報端末機１００及び光メガネ３００と有線または無線で連結されている。
特に、情報端末機１００と首枕２００は、ブルートゥース（Ｂｌｕｅｔｏｏｔｈ）、ジグビー（ＺｉｇＢｅｅ）、赤外線通信モジュール（ＩｒＤＡ、Ｉｎｆｒａｒｅｄ  Ｄａｔａ  Ａｓｓｏｃｉａｔｉｏｎ）などを用いて無線で連結されうる。また、図１には、情報端末機１００と首枕２００とが無線で連結されていると図示したが、これに限定せず、有線で連結されても良い。
まず、情報端末機１００は、脳波誘導用データを保存し、首枕２００に脳波誘導用データを伝送しうる端末機であって、スマートフォン、スマートパッド、携帯電話、ノート型パソコン、タブレットＰＣ、ＰＤＡ（Ｐｅｒｓｏｎａｌ  Ｄｉｇｉｔａｌ  Ａｓｓｉｓｔａｎｔ）、携帯用マルチメディア再生機などが該当する。
次いで、首枕２００は、首の部分を支える枕であって、情報端末機１００から脳波誘導用データを受信し、該受信された脳波誘導用データから抽出した音響データを音の形態に出力する。
そして、首枕２００は、脳波誘導用データから光パターンデータを抽出し、首枕２００に連結された光メガネ３００が抽出された光パターンデータを出力するように制御するための制御信号を生成して光メガネ３００に伝達する。
また、首枕２００は、センサー２３５、スピーカー２４５及び収納部２６５を含みうる。首枕２００のセンサー２３５は、ユーザの頭の位置を感知し、該感知されたユーザの頭の位置に対応して音響データの出力音量を調節することができる。
そして、スピーカー２４５は、音響データを音の形態に抽出する。スピーカー２４５は、首枕２００をしているユーザの両耳の位置に対応して首枕２００の両側に備えられうる。
次いで、収納部２６５は、情報端末機１００または光メガネ３００を収納するためのものであって、首枕２００の上端部分、すなわち、ユーザの首の後ろ部分が位置する部分に収納部２６５が備えられ、収納部２６５の位置が特定の位置に限定されるものではない。
ユーザは、首枕２００及び光メガネ３００を使う時、情報端末機１００を収納部２６５に収納した状態で休息を取り、首枕２００を使わない時、収納部２６５に光メガネ３００または情報端末機１００を収納して保管することができる。
最後に、光メガネ３００は、首枕２００から制御信号を受信し、該受信された制御信号に含まれた光パターンデータを出力する。光メガネは、ＬＥＤなどの発光素子を含み、ＬＥＤの点滅を通じて光パターンデータを出力することができる。また、光メガネ３００は、ヘッドマウントディスプレイのようなゴーグル型ディスプレイ装置または眼帯型ディスプレイ装置などとして具現可能である。
図１には、光メガネ３００が、首枕２００と有線で連結されていると図示したが、光メガネ３００は、情報端末機１００と有線または無線で連結されて情報端末機１００から直接制御信号を受信することもできる。
【０００９】
図２は、本考案の実施形態による睡眠誘導及び休息のための首枕の構成を示すブロック図である。
図２に示したように、睡眠誘導及び休息のための首枕２００は、通信部２１０、データ抽出部２２０、センサー部２３０、音響出力部２４０、及び光メガネ制御部２５０を含む。
まず、通信部２１０は、外部の情報端末機１００から脳波誘導用データを受信する。この際、通信部２１０は、ブルートゥースを用いて無線で脳波誘導用データを受信するか、有線で情報端末機１００と連結されて脳波誘導用データを受信することができる。
ここで、脳波誘導用データは、ユーザの脳波を睡眠または休息に適した状態に同調させるためのものである。例えば、ユーザの睡眠を誘導し、ユーザが休息を取るようにするためにアルファ波状態の脳波を誘導しようとする場合、情報端末機１００は、アルファ波状態の脳波と周波数が類似した音及び光を含む脳波誘導用データを生成して首枕２００に伝送する。
そして、データ抽出部２２０は、脳波誘導用データから音響データ及び光パターンデータを抽出する。
音響データは、首枕２００のスピーカー２４５を通じて出力することができる音の形態のデータであって、誘導しようとする脳波の周波数と類似した周波数を有する。また、光パターンデータは、光メガネ３００を通じて出力することができる光形態のデータに誘導しようとする脳波の周波数と類似した周波数を有する。
また、センサー部２３０は、ユーザの頭の位置を感知する。この際、センサー部２３０は、圧力センサー、加速度センサー、ジャイロセンサー、重量測定センサーのうち少なくとも１つのセンサー２３５を含み、センサー２３５を用いてユーザの頭の位置を感知することができる。
本考案の実施形態による首枕２００は、センサー部２３０が感知したユーザの頭の位置に対応して音響データの出力音量を調節することができる。
次いで、音響出力部２４０は、抽出された音響データを音の形態に出力する。音響出力部２４０は、１つ以上のスピーカー２４５を通じて音響データを出力することができる。この際、スピーカー２４５は、首枕２００をしたユーザの耳付近に対応する位置にそれぞれ備えられうる。
最後に、光メガネ制御部２５０は、首枕２００と連結された光メガネ３００に制御信号を伝達する。ここで、制御信号は、光メガネ３００が光パターンデータを出力するように制御するための信号を意味する。
説明の便宜上、光メガネ制御部２５０が、制御信号を光メガネ３００に伝送するものと説明したが、これに限定せず、光メガネ制御部２５０は、データ抽出部２２０によって抽出された光パターンデータを光メガネ３００に提供することもできる。
【００１０】
以下、図３を通じて本考案の首枕２００を利用した脳波誘導信号出力方法についてさらに詳細に説明する。
図３は、本考案の首枕２００を利用した脳波誘導信号出力方法を説明するフローチャートである。
まず、首枕２００は、情報端末機１００から脳波誘導用データを受信する（ステップＳ３１０）。
脳波誘導用データは、誘導しようとする脳波の周波数に対応する周波数を有する音及び光形態のデータである。例えば、ユーザが休息を取るようにするためにアルファ波状態の脳波を誘導しようとする場合、脳波誘導用データは、アルファ波の周波数と類似した周波数帯域を有する。
この際、首枕２００は、ブルートゥースを用いて情報端末機１００から脳波誘導用データを受信し、Ｓ３１０段階が行われる前に、首枕２００は、情報端末機１００とブルートゥースペアリングを実行することができる。
また、Ｓ３１０段階が行われる前に、ユーザは、情報端末機１００を通じて受信しようとする脳波誘導用データを選択することができる。特に、情報端末機１００がスマートフォン、スマートパッドである場合、ユーザは、機器上に設けられたアプリケーションを用いて脳波誘導用データの種類を選択することができる。
そして、情報端末機１００は、昼寝モード、休息モード、熟眠モード、集中力向上モード、集中力保持モード、活力モードなどの多様なモードのうち何れか１つをユーザから選択され、該選択されたモードに対応する脳波誘導用データを首枕２００に伝送することもできる。
そして、首枕２００は、受信された脳波誘導用データから音響データ及び光パターンデータを抽出する（ステップＳ３２０）。
説明の便宜上、首枕２００が、情報端末機１００から脳波誘導用データを受信し、該受信された脳波誘導用データから音響データ及び光パターンデータを抽出するものと説明したが、これに限定せず、首枕２００は、情報端末機１００から音響データ及び光パターンデータをそれぞれ受信することができる。
また、光メガネ３００が通信モジュールを含む場合、情報端末機１００は、光パターンデータを光メガネ３００に直接伝送することもできる。この場合、本考案の首枕を利用した脳波誘導信号出力方法のＳ３２０段階及びＳ３４０段階を省略することができる。
次いで、首枕２００は、抽出された音響データを出力する（ステップＳ３３０）。
瞑想時に主に表われるアルファ波の周波数は、８〜１２Ｈｚであり、浅い睡眠状態で表われるシータ波の周波数は、４〜８Ｈｚである。すなわち、ユーザの睡眠を誘導し、ユーザが休息を取るようにするためには、ユーザの頭脳をアルファ波またはシータ波が支配する状態に誘導しなければならない。
したがって、音響データは、アルファ波またはシータ波の周波数と類似した８〜１２Ｈｚまたは４〜８Ｈｚの周波数を有する音であり、出力される音響データの同調化現象を通じてユーザの頭脳にアルファ波またはシータ波を誘導させうる。
また、首枕２００は、ユーザの頭の位置に対応して左右にそれぞれ備えられたスピーカー２４５を通じて音響データを出力し、この際、左右のスピーカー２４５に出力される音響データの出力音量は同一であり得る。
次いで、首枕２００は、制御信号を生成して光メガネ３００に伝達する（ステップＳ３４０）。そして、制御信号を受信した光メガネ３００は、制御信号に含まれた光パターンデータを出力する。
首枕２００は、光メガネ３００がＳ３２０段階から抽出された光パターンデータを出力するように制御する制御信号を生成して光メガネ３００に伝送する。この際、首枕２００は、光メガネ３００と連結された通信線を通じて有線で制御信号を伝送しうる。
ここで、光パターンデータは、ユーザの休息または睡眠誘導に役に立つアルファ波またはシータ波を誘導するために、アルファ波またはシータ波の周波数と類似した８〜１２Ｈｚまたは４〜８Ｈｚの周波数を有する光パターンであり得る。
そして、首枕２００から制御信号を受信した光メガネ３００は、制御信号に対応してＬＥＤなどの発光素子を点滅して光パターンデータを出力することができる。光メガネ３００が出力した光パターンデータによる同調化現象で、ユーザの頭脳には、光パターンデータと類似した周波数を有する脳波が誘導される。
また、首枕２００がセンサー部２３０を含む場合、首枕２００は、センサー部２３０を通じてユーザの頭の位置を感知する（ステップＳ３５０）。
首枕２００は、圧力センサー、加速度センサー、ジャイロセンサー、重量測定センサーのうち少なくとも１つのセンサーを用いて首枕２００をしているユーザの頭の位置を感知する。
そして、ユーザの頭の位置が何れか一方向に偏ったかを判断する（ステップＳ３６０）。
Ｓ３５０段階で、ユーザの頭の位置を感知した結果、ユーザの頭の位置が何れか一方向に偏ったと判断された場合、首枕２００は、偏った方向または逆方向に対応するスピーカーの出力音量を調節する（ステップＳ３７０）。
この際、首枕２００は、ユーザの頭が傾いた方向に設けられたスピーカーの出力音声を減らすか、ユーザの頭が傾いた方向の反対側に位置したスピーカーの出力音量を高めて出力音量を調節することができる。
本考案の実施形態による首枕２００は、Ｓ３７０段階を通じてユーザの姿勢または頭の位置に関係なく、ユーザをして両耳で同じ音量の音響データを聞くようにしうる。
本考案の実施形態による首枕２００は、所定時間が経てば、自動で音響データ及び光パターンデータの出力を終了し、ユーザから終了時間を入力されて、当該終了時間に終了するか、ユーザから途中でも手動で終了を入力されて終了することもできる。
そして、音響データ及び光パターンデータの出力が終了すれば、首枕２００は、情報端末機１００との通信を終了し、自動で首枕２００の電源をオフすることもできる。
このように、本考案の実施形態によれば、睡眠誘導及び休息のための首枕、及びそれを利用した脳波誘導信号出力方法を利用することによって、首枕をして休息を取りながら、睡眠誘導及び休息に適した脳波の発生を促進させることができる。
また、脳波誘導信号出力に必要な専用端末機、ヘッドホン及び光メガネを別途に所持しなくても良いので、携帯が簡便であり、ヘッドホンと光メガネとを専用端末機に連結させる必要がないので、操作が簡便であり、使用途中で連結線が身体に触れることがないので、便利に装置を利用できる。
以上、本考案の望ましい実施形態について詳細に説明したが、本考案の権利範囲は、これに限定されるものではなく、次の実用新案登録請求の範囲で定義している本考案の基本概念を利用した当業者の多様な変形及び改良形態も本考案の権利範囲に属するものである。
【産業上の利用可能性】
【００１１】
本考案は、睡眠誘導及び休息のための首枕、及びそれを利用した脳波誘導信号出力方法関連の技術分野に適用可能である。
【符号の説明】
【００１２】
１００：情報端末機
２００：首枕
２１０：通信部
２２０：データ抽出部
２３０：センサー部
２３５：センサー
２４０：音響出力部
２４５：スピーカー
２５０：光メガネ制御部
２６５：収納部
３００：光メガネ
【図１】
0003202281.tif 000003
【図２】
0003202281.tif 000004
【図３】
0003202281.tif 000005